(57)【要約】【課題】足の爪先を保護するとともに、第１趾（親指）が長いエジプト型の足指を痛めることを防止できる安全靴用先芯を提供する。【解決手段】安全靴用先芯１は、安全靴１０の爪先部１０ａ内に設けられて、後部と底部を開口させたキャップ状の形状を有する。先芯１の先端部Ｔは平面視で前方に突出した山型形状を有し、先端部Ｔの頂部Ｔａは、先芯１の幅方向Ｘにおける先芯中心線Ｏよりも爪先部１０ａの親指側に位置しており、先芯１の後端部９全体の幅方向の寸法をW、親指側の端から該頂部Ｔａまでの幅方向の寸法をＬとしたとき、０．２Ｗ＜Ｌ＜０．４Ｗの範囲内の位置に形成されている。【選択図】図３
2014012101.tif 000002
【特許請求の範囲】
【請求項１】
安全靴の爪先部内に設けられて、後部と底部を開口させたキャップ状の形状を有する安全靴用先芯であって、
前記先芯の先端部は平面視で前方に突出した山型形状を有し、
前記先端部の頂部は、先芯の幅方向における先芯中心線よりも爪先部の親指側に位置しており、
前記先芯の後端部全体の幅方向の寸法をW、親指側の端から該頂部までの寸法をＬとしたとき、０．２Ｗ＜Ｌ＜０．４Ｗの範囲内の位置に形成されている、
安全靴用先芯。
【請求項２】
請求項１において、
前記先端部の頂部は、０．２５Ｗ＜Ｌ＜０．３５Ｗの範囲内の位置に形成されている、安全靴用先芯。
【発明の詳細な説明】
【技術分野】
【０００１】
本発明は、安全靴の爪先部内部に設けられて、足の爪先を保護する安全靴用先芯に関する。
【背景技術】
【０００２】
従来から、重量物等が足に落下しても爪先が保護されるように、爪先部の内部にキャップ状の鋼製の先芯を搭載した安全靴が知られている。しかし、鋼製の先芯を用いた安全靴は重くなるため、強度の大きい樹脂製の先芯を使用する場合が多くなっている。この一例として、靴先を構造的に補強し、靴の安全性を高める樹脂製の安全靴用先芯が知られている（例えば、特許文献１）。
【０００３】
ところで、人間の足は、図５（Ａ）のような第２趾（人指し指）２２が最も長いギリシャ型と、図５（Ｂ）のような第１趾（親指）２１が長いエジプト型（オブリーク型）とに大別することができる。日本人の足は比較的エジプト型が多いので、一般に靴先が平面視で丸い形状のラウンド型の靴が多くなっている。特許文献１も、先芯の形状から見て、ラウンド型に属すると言える。
【先行技術文献】
【特許文献】
【０００４】
【特許文献１】特開２００７−０８９７２３号公報
【発明の概要】
【発明が解決しようとする課題】
【０００５】
しかし、親指の長いエジプト型の足をもつ人が、従来のラウンド型の安全靴を履くと、平面視で先端が丸い形状の先芯では、長い親指が先芯の親指側の部分により圧迫されて、これを痛めることとなる。
【０００６】
一方、親指の長いエジプト型に適用可能な形状の先芯をもつ安全靴は、一般には知られておらず、その実現が要望されていた。
【０００７】
本発明は、上記課題を解決して、足の爪先を保護するとともに、第１趾（親指）が長いエジプト型の足の足指を痛めることを防止できる安全靴用先芯を提供することを目的とするものである。
【課題を解決するための手段】
【０００８】
前記目的を達成するために、本発明にかかる安全靴用先芯は、安全靴の爪先部内に設けられて、後部と底部を開口させたキャップ状の形状を有する安全靴用先芯であって、前記先芯の先端部は平面視で前方に突出した山型形状を有し、前記先端部の頂部は、先芯の幅方向における先芯中心線よりも爪先部の親指側に位置しており、前記先芯の後端部全体の幅方向の寸法をW、親指側の端から該頂部までの幅方向の寸法をＬとしたとき、０．２Ｗ＜Ｌ＜０．４Ｗの範囲内の位置に形成されている。ここで、先端部の頂部は、安全靴に先芯が装着されたときの最先端部をいう。
【０００９】
この構成によれば、安全靴用先芯の先端部の頂部が、後端部全体の幅方向の寸法W、親指側の端から該頂部までの幅方向の寸法Ｌにおいて、０．２Ｗ＜Ｌ＜０．４Ｗの範囲内の位置に形成されているので、親指側近くに安全靴用先芯の先端部の頂部が設けられているから、第１趾（親指）が長いエジプト型の足に対して、安全靴用先芯によって足指を痛めることを防止することができる。
【００１０】
好ましくは、前記先端部の頂部は、０．２５Ｗ＜Ｌ＜０．３５Ｗの範囲内の位置に形成されている。したがって、安全靴用先芯によってエジプト型の足指を痛めることをより防止できる。
【発明の効果】
【００１１】
本発明は、安全靴用先芯の先端部の頂部が、後端部全体の幅方向の寸法W、親指側の端から該頂部までの寸法Ｌにおいて、０．２Ｗ＜Ｌ＜０．４Ｗの範囲内の位置に形成されているので、第１趾（親指）が長いエジプト型の足に対して、安全靴用先芯によって足指を痛めることを防止することができる。
【図面の簡単な説明】
【００１２】
【図１】本発明の一実施形態に係る安全靴用先芯を示す斜視図である。
【図２】図１の安全靴用先芯が装着された安全靴の一例を示す一部破断した側面図である。
【図３】図１の安全靴用先芯を示す平面図である。
【図４】図３の安全靴用先芯を示すＩＶ−ＩＶ線断面図である。
【図５】（Ａ）、（Ｂ）は足先の形状を示す平面図である。
【発明を実施するための形態】
【００１３】
以下、本発明の実施形態を図面に基づいて説明する。
図１は、本発明の一実施形態に係る安全靴用先芯の斜視図、図２はこの先芯が装着された安全靴の一例を示す一部破断した側面図である。図１の安全靴用先芯１は後部と底部を開口させたキャップ状の形状を有する。この先芯１は、図２の安全靴１０の爪先部１０ａ内に設けられている。
【００１４】
図１のように、安全靴用先芯１は、正面視で上方に若干湾曲した形状を有する天壁４と、天壁４の後部を除いた周縁に下方に延びるように設けられて、外方に若干湾曲した滑らかな曲面状の立壁５とを備えている。立壁５は、爪先部１０ａの先端側に配設される先端側立壁６（図３の先端部Ｔ）、親指側に配設される親指側立壁７、および小指側に配設される小指側立壁８を有している。立壁５の下辺から内方に折り曲げられた下辺折り曲げ部３が設けられている。また、この先芯１は、立壁５から天壁４にかけても滑らかな曲線形状を有しており、この全体形状はＪＩＳ  Ｔ８１０１に規定する基準を満たすものである。
【００１５】
また、安全靴用先芯１は、先端部が平面視で前方に突出した山型形状を有し、開口した後端部９から先端部６に向かって、次第に狭幅する形状を有している。つまり、後端部９が最も幅広の形状になっている。
【００１６】
図３は、安全靴用先芯１を示す平面図である。この図のように、この先芯１の先端部Ｔの頂部Ｔａは、安全靴１０の爪先部１０ａ（図２）に安全靴用先芯１を装着したときの最先端部であって、先芯１の幅方向Ｘにおける先芯中心線Ｏより爪先部１０ａの親指側立壁６に近い側に位置している。この場合、先芯中心線Ｏは、後端部９の両端縁である親指側端縁９ａと小指側端縁９ｂ間の寸法を２分する位置の垂線をいう。
【００１７】
この安全靴用先芯１を構成する樹脂には、例えばガラス繊維やカーボン繊維などの強化繊維にポリアミドやポリカーボネートなどを含浸させた材料が用いられる。この先芯１は、例えば射出成形により形成される。
【００１８】
図２のように、安全靴１０は、靴底１２と中底１３と、その上部に取り付けられた甲被１５とを備えている。安全靴用先芯１は、先裏１６で固定されており、下辺折り曲げ部３が靴底１２と中底１３の間に埋設される。
【実施例】
【００１９】
以下、本発明に係る安全靴用先芯１の実施例について、図３を用いて説明する。この図において、安全靴用先芯１の先端部Ｔの頂部（最先端部）Ｔａは、後端部９全体の幅方向Ｘの寸法、つまり親指側端縁９ａから小指側端縁９ｂまでの各底部における寸法をW、後端部９の親指側端９ａから該頂部Ｔａまでの幅方向Ｘの寸法をＬとしたとき、０．２Ｗ＜Ｌ＜０．４Ｗの範囲内の位置に形成されている。好ましくは、０．２５Ｗ＜Ｌ＜０．３５Ｗの範囲内である。
【００２０】
この場合、先芯１の寸法は、図４のように、先芯１を水平面上に置いた状態における寸法である。この実施例では、頂部Ｔａは、Ｌ＝０．３９Ｗの位置に形成されている。この先芯１の形状では、長い親指が先芯１の親指側の部分により圧迫されないので、先芯１によって足指を痛めにくくできる。
【００２１】
図３において、最先端部Ｔａ（頂部Ｐ４）の接線ｔから、幅方向Ｘに所定間隔をあけて水平（前後方向Ｙ）に複数、例えば１１個の水平線ｈ０〜ｈ１０を、安全靴用先芯１の先端側立壁６まで下ろしたとき、複数の交点Ｐ０〜Ｐ１０が得られる。接線ｔと、後端部９の親指側端縁９ａおよび小指側端縁９ｂの底部を結ぶ水平線ｍとの間における前後方向Ｙの寸法をＨとすると、各水平線ｈ０〜ｈ１０の接線ｔから交点Ｐ０〜Ｐ１０までの寸法はそれぞれ、Ｐ０は０．７５Ｈ、Ｐ１は０．２０Ｈ、Ｐ２は０．０７Ｈ、Ｐ３は０．０２Ｈ、Ｐ４（Ｔａ）は０Ｈ、Ｐ５は０．０２Ｈ、Ｐ６は０．０６Ｈ、Ｐ７は０．１４Ｈ、Ｐ８は０．２８Ｈ、Ｐ９は０．５０Ｈ、Ｐ１０は０．８１Ｈである。
【００２２】
なお、この安全靴用先芯１が、安全靴１０の爪先部１０ａに、親指側（図では右側）を若干斜めに上げて、つまり右肩上がりに装着された場合には、最先端部Ｔａは、Ｐ４ではなく、例えばＰ３となる。
【００２３】
こうして、本発明では、安全靴用先芯の先端部の頂部が、後端部全体の幅方向の寸法W、親指側の端から該頂部までの幅方向の寸法Ｌにおいて、０．２Ｗ＜Ｌ＜０．４Ｗの範囲内の位置に形成されているので、親指側近くに安全靴用先芯の先端部の頂部が設けられているから、第１趾（親指）が長いエジプト型の足に対して、安全靴用先芯によって足指を痛めることを防止することができる。
【００２４】
なお、この実施形態では、安全靴用先芯を樹脂製としているが、鋼製としてもよい。
【符号の説明】
【００２５】
１：安全靴用先芯
３：下辺折り曲げ部
４：天壁
５：立壁
６：先端側立壁（先端部Ｔ）
７：親指側立壁
８：小指側立壁
９：後端部
１０：安全靴
１０ａ：爪先部
Ｔａ：先端部の頂部
Ｘ：幅方向
Ｙ：前後方向
【図１】
2014012101.tif 000003
【図２】
2014012101.tif 000004
【図３】
2014012101.tif 000005
【図４】
2014012101.tif 000006
【図５】
2014012101.tif 000007